(57)【要約】【課題】傾斜部の扁平状の空間に電線束を収容し、一側に寄せながら引き出すことが容易なプロテクタを提供する。【解決手段】プロテクタ１が有する細長い本体部１０には曲げ部１４が形成され、これにより、本体部１０の長手方向端部は、中間部１５に対して傾斜した傾斜部３０となっている。傾斜部３０は、第１壁１１と、第１壁１１の幅方向一端部から突出する第２壁１２と、第１壁１１の幅方向他端部から突出する第３壁１３と、第１壁１１から突出する複数の仕切壁３４と、を備える。第２壁１２に最も近い第１仕切壁３４ａにおいて中間部１５よりも遠い側の端部３５ａは、次に近い第２仕切壁３４ｂにおいて中間部１５より遠い側の端部３５ｂよりも、中間部１５から遠い位置に配置されている。それぞれの仕切壁３４において、中間部１５よりも遠い側の端部３５が、中間部１５に近づくに従って第１壁１１からの突出長さを増大させるように斜めに形成されている。【選択図】図１
2019009973.tif 000002
【特許請求の範囲】
【請求項１】
電線束を収容可能な凹部を有し、細長く形成される本体部を備えるプロテクタであって、
前記本体部には前記凹部の開放側が凸となるように曲げられた曲げ部が形成されており、この曲げ部により、前記本体部の長手方向端部は、中間部に対して傾斜した傾斜部となっており、
前記傾斜部は、
第１壁と、
前記第１壁の幅方向一端部から突出する第２壁と、
前記第１壁の幅方向他端部から突出する第３壁と、
前記第１壁、前記第２壁及び前記第３壁により囲まれる電線収容空間を前記幅方向で３つ以上に分割するように複数並べて配置され、それぞれが前記第１壁から突出する仕切壁と、
を備え、
前記第２壁に最も近い前記仕切壁を第１仕切壁とし、次に近い前記仕切壁を第２仕切壁としたときに、前記第１仕切壁において前記中間部よりも遠い側の端部は、前記第２仕切壁において前記中間部より遠い側の端部よりも、前記中間部から遠い位置に配置され、
それぞれの前記仕切壁において、前記中間部よりも遠い側の端部が、前記中間部に近づくに従って前記第１壁からの突出長さを増大させるように斜めに形成されていることを特徴とするプロテクタ。
【請求項２】
請求項１に記載のプロテクタであって、
前記傾斜部には延長部が形成されており、
前記延長部は、当該傾斜部から電線束を引き出すために形成される開口よりも、前記中間部から遠ざかる向きに延びていることを特徴とするプロテクタ。
【請求項３】
請求項２に記載のプロテクタであって、
前記延長部は、前記第２壁、及び、前記第１壁のうち前記第２壁の近傍部分のうち少なくとも何れかが延長するように形成されていることを特徴とするプロテクタ。
【請求項４】
請求項１から３までの何れか一項に記載のプロテクタであって、
前記凹部を閉鎖可能な蓋部を備え、
前記蓋部には、当該蓋部が前記電線収容空間を閉鎖した状態で、前記電線収容空間に向けて突出する突出部が形成されていることを特徴とするプロテクタ。
【請求項５】
請求項４に記載のプロテクタであって、
前記蓋部において前記突出部に対応する位置に、前記第１壁の幅方向に細長いリブが形成されていることを特徴とするプロテクタ。
【請求項６】
請求項４又は５に記載のプロテクタであって、
前記第１壁の幅方向における前記突出部の長さは、前記中間部から遠ざかるに従って増大していることを特徴とするプロテクタ。
【請求項７】
請求項４から６までの何れか一項に記載のプロテクタであって、
前記第２壁及び前記第３壁のうち少なくとも何れかに、前記蓋部に形成された爪部を差し込んで固定することが可能な固定部が配置され、
前記爪部は、前記中間部における前記第１壁の厚み方向で前記固定部に対して差込可能であり、当該厚み方向に対して傾斜した方向でも前記固定部に対して差込可能であることを特徴とするプロテクタ。
【請求項８】
請求項４から７までの何れか一項に記載のプロテクタであって、
前記蓋部に形成された爪部を、前記第２壁及び前記第３壁のうち少なくとも何れかに固定可能であり、
固定された状態の前記爪部は、前記仕切壁に対して前記第１壁の幅方向で対応する位置に配置されていることを特徴とするプロテクタ。
【発明の詳細な説明】
【技術分野】
【０００１】
本発明は、主として、電線束に装着し、電線束を保護するプロテクタに関する。
【背景技術】
【０００２】
従来から、例えば自動車等の車両に配置される電線（電線束）を保護したり、その経路を規制したりするためにプロテクタが設けられている。特許文献１は、この種のプロテクタを開示する。
【０００３】
この特許文献１のプロテクタは、ケーブル又は電線が収容され且つ挿入される側が開放された断面略Ｕ字形の保持溝を幅方向に複数並列に有し、その保持溝の両側壁に複数の突起が設けられ、保持溝の開放側から見たときに、各突起が両側壁に交互に千鳥状に配置され、ケーブル又は電線が各突起間に蛇行して屈曲保持される構成となっている。特許文献１は、これにより、ケーブル又は電線の保持状態を維持することが可能になるとする。
【先行技術文献】
【特許文献】
【０００４】
【特許文献１】特開２０１３−２４０１２４号公報
【発明の概要】
【発明が解決しようとする課題】
【０００５】
ところで、近年の自動車においては、車内空間の快適さを維持しつつ車体のコンパクト化を追求するニーズに伴って、車内電装部品が増加する一方、電線を車体に取り付けるスペースが狭くなっている。
【０００６】
この点に関して、上記の特許文献１の構成は、交互に千鳥状に配置される突起が必要であって、当該プロテクタを配置するには、幅方向にスペースを要する。そして、特許文献１のプロテクタの保持溝に配置されている複数の仕切板部は、単に当該保持溝を構成する基板部から略鉛直上方に立ち上がる形態とされているので、収容されているケーブル又は電線を幅方向で一箇所にまとめて引き出すとき、幅方向の端部に位置する保持溝の仕切板部の端部で、ケーブル又は電線の曲げ負荷が大きくなる場合がある。従って、特許文献１のプロテクタは、ケーブル又は電線の経路が複雑な場合、柔軟に対応することが困難である。
【０００７】
本発明は以上の事情に鑑みてされたものであり、その目的は、中間部に対して傾斜するように配置された傾斜部が有する扁平状の空間に電線束を収容するとともに、この傾斜部から当該電線束を一側に寄せながら引き出すことが容易なプロテクタを提供することにある。
【課題を解決するための手段及び効果】
【０００８】
本発明の解決しようとする課題は以上の如くであり、次にこの課題を解決するための手段とその効果を説明する。
【０００９】
本発明の観点によれば、以下の構成のプロテクタが提供される。即ち、このプロテクタは、電線束を収容可能な凹部を有し、細長く形成される本体部を備える。前記本体部には前記凹部の開放側が凸となるように曲げられた曲げ部が形成されており、この曲げ部により、前記本体部の長手方向端部は、中間部に対して傾斜した傾斜部となっている。前記傾斜部は、第１壁と、第２壁と、第３壁と、仕切壁と、を備える。前記第２壁は、前記第１壁の幅方向一端部から突出する。前記第３壁は、前記第１壁の幅方向他端部から突出する。前記仕切壁は、前記第１壁、前記第２壁及び前記第３壁により囲まれる電線収容空間を前記幅方向で３つ以上に分割するように複数並べて配置され、それぞれが前記第１壁から突出する。前記第２壁に最も近い前記仕切壁を第１仕切壁とし、次に近い前記仕切壁を第２仕切壁としたときに、前記第１仕切壁において前記中間部よりも遠い側の端部は、前記第２仕切壁において前記中間部より遠い側の端部よりも、前記中間部から遠い位置に配置されている。それぞれの前記仕切壁において、前記中間部よりも遠い側の端部が、前記中間部に近づくに従って前記第１壁からの突出長さを増大させるように斜めに形成されている。
【００１０】
即ち、本体部に曲げ部が形成されている場合、その凹部に電線束が収容されると曲げ部の近傍で電線束が膨らむことが多いが、上記の構成によれば、傾斜部において、電線束を、複数の仕切壁によって分割しながら電線収容空間に収容することができる。従って、電線束が傾斜部において膨らみにくくなるので、扁平状でコンパクトな電線収容空間に容易に収容することができる。また、複数の仕切壁の端部の位置を異ならせ、かつ、それぞれの仕切壁の端部が斜めに形成されていることにより、電線収容空間で電線束が一側に（第２壁に近づくように）偏りながら傾斜部から出るレイアウトを、電線束を急激に曲げることなく実現できる。
【００１１】
前記のプロテクタにおいては、以下の構成とすることが好ましい。即ち、前記傾斜部には延長部が形成されている。前記延長部は、当該傾斜部から電線束を引き出すために形成される開口よりも、前記中間部から遠ざかる向きに延びている。
【００１２】
これにより、電線束が傾斜部から出る部分を、固定部材等を用いて延長部に容易に固定することができる。
【００１３】
前記のプロテクタにおいては、前記延長部は、前記第２壁、及び、前記第１壁のうち前記第２壁の近傍部分のうち少なくとも何れかが延長するように形成されていることが好ましい。
【００１４】
これにより、例えば、電線収容空間において電線束が第２壁に近づくように偏ってまとめられた場合に、その部分を延長部に容易に固定することができる。
【００１５】
前記のプロテクタにおいては、以下の構成とすることが好ましい。即ち、このプロテクタは、前記凹部を閉鎖可能な蓋部を備える。前記蓋部には、当該蓋部が前記電線収容空間を閉鎖した状態で、前記電線収容空間に向けて突出する突出部が形成されている。
【００１６】
これにより、蓋部に形成された突出部によって、電線収容空間内の電線束が膨らまないように押さえることができる。
【００１７】
前記のプロテクタにおいては、前記蓋部において前記突出部に対応する位置に、前記第１壁の幅方向に細長いリブが形成されていることが好ましい。
【００１８】
これにより、突出部によって電線束を押さえると同時に、蓋部の剛性を効果的に向上させることができる。
【００１９】
前記のプロテクタにおいて、前記第１壁の幅方向における前記突出部の長さは、前記中間部から遠ざかるに従って増大していることが好ましい。
【００２０】
これにより、電線束が傾斜部から出る部分の近傍を広範囲で押さえることができるので、傾斜部の内部における電線束の膨らみを効果的に防止できる。
【００２１】
前記のプロテクタにおいては、以下の構成とすることが好ましい。即ち、前記第２壁及び前記第３壁のうち少なくとも何れかに、前記蓋部に形成された爪部を差し込んで固定することが可能な固定部が配置される。前記爪部は、前記第１壁の厚み方向で前記固定部に対して差込可能であり、当該厚み方向に対して傾斜した方向でも前記固定部に対して差込可能である。
【００２２】
これにより、蓋部が有する爪部を柔軟な向きで固定部に差し込むことができるので、作業性が向上し、また、蓋部を閉じるときに爪部が電線束に引っ掛かることも容易に防止できる。
【００２３】
前記のプロテクタにおいては、前記蓋部に形成された爪部を、前記第２壁及び前記第３壁のうち少なくとも何れかに固定可能であり、固定された状態の前記爪部は、前記仕切壁に対して前記第１壁の幅方向で対応する位置に配置されていることが好ましい。
【００２４】
即ち、仕切壁が電線束を分割している部分は電線束が膨らみ易いが、その部分を蓋部でしっかり押さえた状態で固定することができる。
【図面の簡単な説明】
【００２５】
【図１】本発明の一実施形態に係るプロテクタの全体的な構成を示す斜視図。
【図２】傾斜部の電線収容空間における電線束が一側に寄せられて引き出される様子を示す部分斜視図。
【図３】中間部における凹部が蓋部により閉鎖している状態を示す斜視図。
【図４】傾斜部における電線収容空間が傾斜カバー部により閉鎖している状態を示す部分斜視図。
【図５】本発明の変形例を示す部分斜視図。
【発明を実施するための形態】
【００２６】
次に、図面を参照して本発明の実施の形態を説明する。図１は、本発明の一実施形態に係るプロテクタ１の全体的な構成を示す斜視図である。図２は、傾斜部３０の電線収容空間４における電線束２が一側に寄せられて引き出される様子を示す部分斜視図である。図３は、中間部１５における凹部３が蓋部２０により閉鎖している状態を示す斜視図である。図４は、傾斜部３０における電線収容空間４が傾斜カバー部２２により閉鎖している状態を示す部分斜視図である。
【００２７】
図１に示すプロテクタ１は、電線束２を、例えば乗用車の車体のセンターコンソールのような上向きの凸部を乗り越える経路で配置するために用いられている。このプロテクタ１は、本体部１０と、蓋部２０と、を備える。
【００２８】
本体部１０には、電線束２を収容してその経路を規制する凹部３が設けられている。本実施形態において、本体部１０の凹部３は、前述の車体の凸部が突出する向きと同じ側を開放させるように構成されている。蓋部２０は、この凹部３を閉鎖できるように構成されている。
【００２９】
この本体部１０は、車体の凸部に沿って配置できるように屈曲状に形成されている。具体的には、図１に示すように、本体部１０は、長手方向の２箇所に曲げ部１４を有する形状となっており、２箇所の曲げ部１４，１４の間が中間部１５となり、それぞれの曲げ部１４より長手方向の端部側が傾斜部３０となっている。本体部１０の長手方向の両端部に配置される傾斜部３０，３０は、何れも、中間部１５に対して傾斜して配置されている。
【００３０】
中間部１５及び傾斜部３０の共通の構成として、本体部１０は、第１壁１１と、第２壁１２と、第３壁１３と、を備える。
【００３１】
第１壁１１は、ほぼ一定の幅を有する細長い平板状に形成されている。
【００３２】
第２壁１２は、第１壁１１の幅方向一端に垂直に接続するように形成されている。
【００３３】
第３壁１３は、第１壁１１の幅方向他端に垂直に接続するように形成されている。第３壁１３は第２壁１２に対し、第１壁１１の幅方向で互いに対面するように配置される。また、第３壁１３は第２壁１２とほぼ平行に配置されている。
【００３４】
以上の構成とすることにより、本体部１０（中間部１５又は傾斜部３０）を長手方向に垂直に切った断面は、車体の上記凸部が突出する方向と同じ側（図１の上側）が開放された形状となっている。このように、第１壁１１、第２壁１２、及び第３壁１３により、電線束２を収容する扁平状の凹部３が構成されている。
【００３５】
第１壁１１、第２壁１２及び第３壁１３は、プロテクタ１が設置される車体の凸部の表面に概ね沿うように、曲げ部１４において適宜の角度で曲げられている。この曲げ部１４での湾曲はある程度緩やかになっているので、凹部３に収容される電線束２を、曲げ部１４の周辺で円滑に案内することができる。
【００３６】
中間部１５においては、図１に示すように、第２壁１２に開口１６ａ，１６ｂが形成されている。これにより、複数の電線束２の一部を中間部１５から分岐させて配置することができる。
【００３７】
次に、傾斜部３０について説明する。なお、本実施形態のプロテクタ１は２つの傾斜部３０，３０を有しているが、２つの傾斜部３０，３０は互いに対称に形成されており、構成は実質的に同一である。このため、ここでは代表して、図１の手前側に示されている傾斜部３０を説明する。
【００３８】
この傾斜部３０は、中間部１５と同様に、第１壁１１、第２壁１２及び第３壁１３を備える。第１壁１１、第２壁１２及び第３壁１３により囲まれる空間である凹部３は、後述の傾斜カバー部２２によって閉鎖することができるが、この閉鎖状態でも凹部３は、本体部１０の長手方向の端部に相当する位置で、開口５を介してプロテクタ１の外部と通じている。従って、凹部３に収容される電線束２は、開口５を介してプロテクタ１の外部へ引き出すことができる。なお、以下の説明では、特に傾斜部３０における凹部３の内部の空間を、電線収容空間４と呼ぶことがある。
【００３９】
傾斜部３０は、電線収容空間４を第１壁１１の幅方向で３つ以上に分割するように配置された２つの仕切壁３４，３４を備える。それぞれの仕切壁３４は、第１壁１１からリブ状に突出するように形成され、第２壁１２及び第３壁１３と平行に配置されている。また、２つの仕切壁３４は何れも、傾斜部３０の長さよりも若干短く構成されている。
【００４０】
図２に示すように、複数の電線束２が傾斜部３０により収容される場合、電線束２が互いに乗り上げることを仕切壁３４によって防止でき、複数の電線束２を分けて収容することができる。これにより、電線束２が膨らみにくくなり、扁平状でコンパクトな電線収容空間４に容易に収容することができる。
【００４１】
また、２つの仕切壁３４は、その長さが互いに異なるように構成されている。具体的に言えば、それぞれの仕切壁３４において中間部１５よりも遠い側の端部（電線束２を外部に引き出す開口５に近い側の端部）を引出側端部３５と呼ぶとともに、２つの仕切壁３４，３４のうち第２壁１２に最も近いものを第１仕切壁３４ａとし、次に第２壁１２に近いものを第２仕切壁３４ｂとしたときに、第１仕切壁３４ａの引出側端部３５ａは、第２仕切壁３４ｂの引出側端部３５ｂよりも、中間部１５からの距離が長くなるように配置される。言い換えれば、第１仕切壁３４ａの引出側端部３５ａは、第２仕切壁３４ｂの引出側端部３５ｂよりも、開口５からの距離が短くなるように配置される。
【００４２】
以下、上記のように構成したことによる効果を説明する。即ち、開口５を経由してプロテクタ１から引き出された部分の電線束２の取り回しを良くする等のために、図２に示すように、仕切壁３４，３４によって３つに分けられながら傾斜部３０に収容される複数の電線束２を、開口５の近傍で第１壁１１の幅方向一側（第２壁１２に近い側）に寄せるようにまとめる場合を考える。なお、図２においては、仕切られた電線束２の経路を分かり易く示すため、傾斜カバー部２２の図示が省略されている。上記のように電線束２をまとめようとする場合、第２壁１２に近い順に電線束２ａ、電線束２ｂ、電線束２ｃとすると、電線束２ａは経路を寄せる必要がないが、電線束２ｂは経路を少し第２壁１２側へ寄せる必要があり、電線束２ｃは経路を大幅に第２壁１２側へ寄せる必要がある。この点、本実施形態では、第２仕切壁３４ｂの引出側端部３５ｂが第１仕切壁３４ａの引出側端部３５ａよりも中間部１５に近くなっているので、電線束２ｃが幅方向で拘束されない長さを良好に確保することができる。この結果、電線束２ｃを鋭く曲げずに寄せることができるので、屈曲ストレスを軽減することができる。
【００４３】
更に、第１仕切壁３４ａにおける引出側端部３５ａも、第２仕切壁３４ｂにおける引出側端部３５ｂも、中間部１５に近づくに従ってその突出長さを増大させるように、第１壁１１の内面に対して斜めに形成されている。これにより、引出側端部３５ａ，３５ｂの部分での電線束２ｂ，２ｃの拘束が多少緩められるので、上記のように電線束２をまとめる場合でも電線束２ｂ，２ｃに掛かる屈曲ストレスを有効的に緩和できるとともに、作業性を向上することができる。
【００４４】
傾斜部３０には、その傾斜方向に沿って中間部１５から離れる向きに延びた延長部４０が設けられている。具体的に説明すると、図２又は図３に示すように、当該延長部４０は、第１壁１１の一部と、第２壁１２と、に連続するように断面Ｌ字状に形成されている。延長部４０は、傾斜部３０から電線束２が引き出される開口５よりも、中間部１５から遠ざかる向きに所定の長さだけ直線状に延びている。また、延長部４０の先端には、凸状の止め部４１が形成されている。
【００４５】
この構成で、電線束２を開口５から引き出すとき、電線束２の方向を延長部４０によって案内することができる。特に、本実施形態では、延長部４０が傾斜部３０の長手方向と同じ向きに延びているので、当該開口５の部分で電線束２が急激に曲げられるのを回避することができる。また、開口５から引き出された電線束２を当該延長部４０の近傍に寄せるように図２のようにまとめて、バンド、テープ等の図示しない固定部材を用いて延長部４０に容易に固定することができる。このとき、止め部４１は、上記の固定部材が容易に外れないようにする抜け止めとして機能する。
【００４６】
続いて、蓋部２０について説明する。蓋部２０は、図１に示すように、中間カバー部２１と、傾斜カバー部２２と、を備え、本体部１０に形成された凹部３を閉鎖できるように全体として細長く形成されている。中間カバー部２１は、中間部１５における凹部３を閉鎖可能に構成され、傾斜カバー部２２は、傾斜部３０における凹部３（電線収容空間４）を閉鎖可能に構成されている。
【００４７】
蓋部２０は、複数配置された接続部２３を介して、本体部１０に接続されている。それぞれの接続部２３は、小さい薄板状に形成されており、適宜変形可能に構成されている。本実施形態において、接続部２３は、中間カバー部２１と、中間部１５における第３壁１３と、を接続している。この接続部２３が変形することにより、当該接続部２３を実質的な支点として蓋部２０を開閉させることができる。
【００４８】
中間カバー部２１は、略板状に形成され、その幅方向一側は接続部２３を介して本体部１０の中間部１５と接続するとともに、幅方向他側には複数の爪部２４が設けられている。本体部１０の中間部１５には、爪部２４に対応する位置に複数の固定部１７が設けられている。それぞれの固定部１７は、爪部２４を差し込んで固定できるように構成されている。図３には、この中間カバー部２１が凹部３を閉鎖しつつ中間部１５に固定されている状態が示されている。
【００４９】
傾斜カバー部２２は、中間カバー部２１の長手方向両端に１つずつ配置され、それぞれ連結部２５を介して連結されている。連結部２５は、接続部２３と同じように、柔軟性を有し、折り曲げ可能な薄板状に形成されている。この連結部２５が変形することにより、当該連結部２５を実質的な支点として傾斜カバー部２２を開閉させることができる。
【００５０】
それぞれの傾斜カバー部２２は、図１及び図３に示すように、カバー板部５０と、カバー壁部６０と、を備える。
【００５１】
カバー板部５０は略板状に形成されており、図４に示すように、本体部１０の傾斜部３０における電線収容空間４の開放側を覆うように閉鎖することができる。なお、図４では電線束２の図示が省略されている。この図４の状態では、カバー板部５０は、前述の第１壁１１に対してほぼ平行に配置される。
【００５２】
このカバー板部５０は、図１、図３及び図４に示すように、突出部５１と、凹み部５２と、リブ５３と、を備える。
【００５３】
突出部５１は、傾斜カバー部２２が傾斜部３０の電線収容空間４を閉鎖している状態（図４に示す状態）において、カバー板部５０の厚み方向で、第１壁１１に向かってカバー板部５０から突出するように一体的に形成されている。
【００５４】
図１には図３とは表裏が逆になったカバー板部５０が示されており、この図１に示すように、突出部５１は、カバー板部５０の、中間カバー部２１に近い側の端部を除いた部分に広範囲に形成されている。カバー板部５０の厚み方向で見たとき、突出部５１の輪郭は、前述の開口５に近い側の端部において、傾斜カバー部２２の幅方向での長さが最大となり、開口５から遠ざかるに従って、傾斜カバー部２２の幅方向における長さが漸減するような形状（放物線状又は３角形状）に形成されている。
【００５５】
また、突出部５１の突出量は、開口５に近い側の端部、かつ、傾斜カバー部２２の幅方向中央部において最大となり、幅方向端部に近づくに従って徐々に減少するとともに、開口５から遠ざかるに従って徐々に減少するように形成されている。
【００５６】
この構成で、傾斜カバー部２２が傾斜部３０の電線収容空間４を閉鎖するのに伴って、電線収容空間４に向かって突出する突出部５１が電線束２をしっかり押さえることができる。そして、電線束２が出る開口５の近傍において、電線束２を突出部５１によって、広い幅で、かつ強く押さえることができるので、傾斜部３０の内部における電線束２の膨らみを効果的に防止できる。
【００５７】
カバー板部５０において、突出部５１が形成されているのと反対側の面には、例えば図３に示すように、当該突出部５１に対応する位置に凹み部５２が形成されている。図４に示すように、この凹み部５２は複数並べて配置されており、その全体としての輪郭は前記突出部５１に対応した形状を有している。言い換えれば、前述の突出部５１は、カバー板部５０の反対側の面に形成された凹み部５２と表裏の関係であり、当該凹み部５２が形成されることで突出部５１が実現されている。
【００５８】
カバー板部５０には、それぞれの凹み部５２を区画するように、直線状のリブ５３が、傾斜カバー部２２の長手方向に複数並べて形成されている。それぞれのリブ５３は、凹み部５２と凹み部５２との間で相対的に凸となっている部分によって構成されており、傾斜カバー部２２の幅方向（言い換えれば、第１壁１１の幅方向）に細長く形成されている。このリブ５３により、突出部５１及びカバー板部５０の剛性を高めて、電線収容空間４の電線束２が膨らまないようにしっかり押さえることができる。
【００５９】
カバー壁部６０は、カバー板部５０の幅方向両端部に垂直に接続するように対で形成されている。図４に示すように、傾斜カバー部２２が電線収容空間４を閉鎖している状態において、当該カバー壁部６０は、第１壁１１の幅方向で、第２壁１２及び第３壁１３よりも外側を覆うように形成されている。
【００６０】
図１及び図３に示すように、それぞれのカバー壁部６０において、長手方向のほぼ中央部には爪部６１が設けられている。爪部６１は、カバー壁部６０に一体的に形成されている。本体部１０において、傾斜部３０における第２壁１２及び第３壁１３のそれぞれには、爪部６１に対応する位置に複数の固定部３６が設けられている。それぞれの固定部３６は、爪部６１を差し込んで固定できるように構成されている。
【００６１】
図１等に示すように、固定部３６は、爪部６１を差し込むための孔の方向が、中間部１５における第１壁１１の厚みの方向（図１の矢印Ａの方向）となるように形成されている。一方で、傾斜カバー部２２においてカバー壁部６０にはＶ字状の切込みが形成されており、この結果、傾斜カバー部２２が先細り状となって、その先端部に爪部６１が配置されている。従って、爪部６１を固定部３６に対して差し込む方向がある程度ズレていても、問題なく当該爪部６１を固定部３６に固定することができる。即ち、爪部６１は、中間部１５における第１壁１１の厚み方向（即ち、図１の矢印Ａの方向）で固定部３６に差し込むことができ、また、当該厚み方向に対して傾斜した方向（例えば、傾斜部３０における第１壁１１の厚み方向、図１の矢印Ｂの方向）でも固定部３６に差し込むことができる。
【００６２】
この構成で、例えば図３に示す状態から、本体部１０が有する傾斜部３０の電線収容空間４を傾斜カバー部２２によって閉鎖しようとするとき、傾斜カバー部２２は連結部２５の部分を中心として回転するので、爪部６１は円弧状の軌跡を描く。しかしながら、爪部６１の固定部３６に対する差込方向の自由度が上記のようにある程度確保されているので、傾斜カバー部２２を容易に固定することができ、作業性を向上させることができる。また、爪部６１を差し込む方向がある程度自由になるので、爪部６１が電線束２に引っ掛かることも容易に防止できる。
【００６３】
次に、爪部６１と仕切壁３４との位置関係について説明する。図１に示すように、爪部６１を固定するために第２壁１２及び第３壁１３に形成される固定部３６は、２つの仕切壁３４，３４に対し、第１壁１１の幅方向で対応するように配置されている。即ち、図４に示す爪部６１が固定部３６に固定された状態において、当該爪部６１は、第１壁１１の幅方向（傾斜部３０の幅方向）で見たときに、仕切壁３４，３４と重なる位置に配置されている。従って、図４のように傾斜カバー部２２が傾斜部３０に取り付けられた状態では、電線束２が膨らみ易い仕切壁３４に近い部分で、爪部６１によって傾斜カバー部２２を固定することができる。この結果、傾斜カバー部２２が電線束２を押さえる効果を良好に発揮させることができる。
【００６４】
以上に説明したように、本実施形態のプロテクタ１は、電線束２を収容可能な凹部３を有し、細長く形成される本体部１０を備える。本体部１０には凹部３の開放側が凸となるように曲げられた曲げ部１４が形成されており、この曲げ部１４により、本体部１０の長手方向端部は、中間部１５に対して傾斜した傾斜部３０となっている。傾斜部３０は、第１壁１１と、第２壁１２と、第３壁１３と、仕切壁３４，３４と、を備える。第２壁１２は、第１壁１１の幅方向一端部から突出する。第３壁１３は、第１壁１１の幅方向他端部から突出する。仕切壁３４，３４は、第１壁１１、第２壁１２及び第３壁１３により囲まれる電線収容空間４を前記幅方向で３つに分割するように２つ並べて配置され、それぞれが第１壁１１から突出する。第２壁１２に最も近い仕切壁３４を第１仕切壁３４ａとし、次に近い仕切壁３４を第２仕切壁３４ｂとしたときに、第１仕切壁３４ａにおいて中間部１５よりも遠い側の端部（引出側端部３５ａ）は、第２仕切壁３４ｂにおいて中間部１５より遠い側の端部（引出側端部３５ｂ）よりも、中間部１５から遠い位置に配置されている。それぞれの仕切壁３４において、中間部１５よりも遠い側の端部（引出側端部３５ａ，３５ｂ）が、中間部１５に近づくに従って第１壁１１からの突出長さを増大させるように斜めに形成されている。
【００６５】
即ち、本体部１０に曲げ部１４が形成されている場合、その凹部３に電線束２が収容されると曲げ部１４の近傍で電線束２が膨らむことが多いが、上記の構成によれば、傾斜部３０において、電線束２を、複数の仕切壁３４によって分割しながら電線収容空間４に収容することができる。従って、電線束２が傾斜部３０において膨らみにくくなるので、扁平状でコンパクトな電線収容空間４に容易に収容することができる。また、複数の仕切壁３４の端部３５の位置を異ならせ、かつ、それぞれの仕切壁３４の端部３５が斜めに形成されていることにより、電線収容空間４で電線束２が第２壁１２に近づくように偏りながら傾斜部３０から出るレイアウトを、電線束２を急激に曲げることなく実現できる。
【００６６】
また、本実施形態のプロテクタ１において、傾斜部３０には延長部４０が形成されている。延長部４０は、傾斜部３０から電線束２を引き出すために形成される開口５よりも、中間部１５から遠ざかる向きに延びている。
【００６７】
これにより、電線束２が傾斜部３０の開口５から出る部分を、バンド、テープ等の固定部材を用いて延長部４０に容易に固定することができるとともに、電線束２をこの延長部４０に偏ってプロテクタ１から引き出すとき、この延長部４０により電線束２を案内することができるので、電線束２の急激な曲げを回避することができる。
【００６８】
また、本実施形態のプロテクタ１において、延長部４０は、第２壁１２と、第１壁１１のうち第２壁１２の近傍部分と、の両方が延長するように形成されている。
【００６９】
これにより、例えば、電線収容空間４において電線束２が第２壁１２に近づくように偏ってまとめられた場合に、その部分を延長部４０に容易に固定することができる。
【００７０】
また、本実施形態のプロテクタ１は、凹部３を閉鎖可能な蓋部２０を備える。蓋部２０には、当該蓋部２０が電線収容空間４を閉鎖した状態で、電線収容空間４に向けて突出する突出部５１が形成されている。
【００７１】
これにより、蓋部２０に形成された突出部５１によって、電線収容空間４内の電線束２が膨らまないように押さえることができる。
【００７２】
また、本実施形態のプロテクタ１においては、蓋部２０において突出部５１に対応する位置に、第１壁１１の幅方向に細長いリブ５３が形成されている。
【００７３】
これにより、突出部５１によって電線束２を押さえると同時に、蓋部２０の剛性を効果的に向上させることができる。
【００７４】
また、本実施形態のプロテクタ１において、第１壁１１の幅方向における突出部５１の長さは、中間部１５から遠ざかるに従って増大している。
【００７５】
これにより、電線束２が傾斜部３０から出る部分の近傍を広範囲で押さえることができるので、傾斜部３０の内部における電線束２の膨らみを効果的に防止できる。
【００７６】
また、本実施形態のプロテクタ１においては、第２壁１２及び第３壁１３の両方に、蓋部２０に形成された爪部６１を差し込んで固定することが可能な固定部３６が配置される。爪部６１は、中間部１５における第１壁１１の厚み方向（図１の矢印Ａの方向）で固定部３６に対して差込可能であり、当該厚み方向に対して傾斜した方向（例えば、図１の矢印Ｂの方向）でも固定部３６に対して差込可能である。
【００７７】
これにより、蓋部２０が有する爪部６１を柔軟な向きで固定部３６に差し込むことができるので、作業性が向上し、また、蓋部２０を閉じるときに爪部６１が電線束２に引っ掛かることも容易に防止できる。
【００７８】
また、本実施形態のプロテクタ１においては、蓋部２０が有する傾斜カバー部２２に形成された爪部６１を、第２壁１２及び第３壁１３に固定可能である。固定された状態の爪部６１は、仕切壁３４に対して第１壁１１の幅方向で対応する位置に配置されている。
【００７９】
即ち、仕切壁３４が電線束２を分割している部分は電線束２が膨らみ易いが、その部分を蓋部２０（傾斜カバー部２２）でしっかり押さえた状態で固定することができる。
【００８０】
次に、本発明の変形例を説明する。図５は、本発明の変形例を示す部分斜視図である。なお、この変形例の説明においては、前述の実施形態と同一又は類似の構成には図面に同一の符号を付し、説明を省略する場合がある。
【００８１】
図５に示す変形例に係るプロテクタにおいて、第２壁１２と、第３壁１３とが、前述の実施形態とは入れ替わっている。そして、傾斜部３０には、長さが互いに等しい４つの仕切壁３４が配置されている。また、延長部４０ａは、第１壁１１の第２壁１２に近い部分のみが延長されることによって構成されている。
【００８２】
この変形例においても、電線収容空間４において電線束２を第１壁１１の幅方向で複数に分割して配置し、開口５の近傍で電線束２を第２壁１２に近い側に寄せて引き出すレイアウトを、電線束２に大きな屈曲ストレスを与えることなく実現することができる。また、開口５の近傍で、まとめられた電線束２をテープ等で延長部４０ａに固定することができる。
【００８３】
以上に本発明の好適な実施の形態及び変形例を説明したが、上記の構成は例えば以下のように変更することができる。
【００８４】
傾斜部３０は、設計される電線束２の経路に応じて、図１のように本体部１０の両端に形成されても良いし、一端にだけ形成されても良い。また、本体部１０の両端に形成される傾斜部３０，３０の構成が、互いに対称（同一）でなくても良い。
【００８５】
仕切壁３４の数は任意であり、３つ、又は５つ以上形成されても良い。また、それぞれの仕切壁３４の長さについても任意に変更することができる。
【００８６】
傾斜カバー部２２が、中間カバー部２１に連結部２５を介して連結されるのではなく、傾斜部３０の第２壁１２又は第３壁１３に連結部２５を介して連結されるように構成することができる。この場合、爪部６１及び固定部３６は、傾斜カバー部２２の幅方向両側でなく、一側にだけ配置すれば良い。
【００８７】
延長部４０は、図２に示すように、第１壁１１と第２壁１２とに跨るように断面Ｌ字状に構成されても良いし、図５の延長部４０ａのように第１壁１１のみに形成されても良い。更に、第２壁１２のみを延長して延長部を構成しても良い。
【００８８】
突出部５１を放物線状とすることに代えて、第１壁１１の幅方向に細長いリブ状の突出部を複数並べて設けても良い。このように、突出部５１の形状は適宜変更することができる。
【００８９】
プロテクタ１は、センターコンソール以外の適宜の場所に電線束２を配置するために用いられても良い。
【符号の説明】
【００９０】
１  プロテクタ
２  電線束
３  凹部
４  電線収容空間
１０  本体部
１１  第１壁
１２  第２壁
１３  第３壁
１４  曲げ部
１５  中間部
３０  傾斜部
３４  仕切壁
３４ａ  第１仕切壁
３４ｂ  第２仕切壁
３５  端部
【図１】
2019009973.tif 000003
【図２】
2019009973.tif 000004
【図３】
2019009973.tif 000005
【図４】
2019009973.tif 000006
【図５】
2019009973.tif 000007